(57)【要約】      （修正有）【課題】不使用時、ゴミ箱の開口が正面を向かず本体部に収納できると共に、使用時、不使用時が明確に判断できる、ゴミ箱付き食品販売台を提供する。【解決手段】脚部材１１ａ、１１ｂと天板１３とからなる販売台本体部１と、販売台本体部１の前方側の２本の脚部材１１ａに着脱自在且つ前後方向反転自在に設置可能なゴミ箱２とを備え、使用状態における販売台本体部１とゴミ箱２の係止が、２本の脚部材１１ａに付設されるフック部材と、ゴミ箱２の側部に形成される係止孔とで行ない、不使用状態における販売台本体部１とゴミ箱２の係止が、２本の脚部材１１ａに付設されるフック部材と、係止孔とで行なう。【選択図】図１
0003167070.tif 000002
【実用新案登録請求の範囲】
【請求項１】
４本の脚部材と天板とからなる販売台本体部と、
該販売台本体部の２本の脚部材に着脱自在且つ前後方向反転自在に設置可能なゴミ箱とを備え、
使用状態における該販売台本体部と該ゴミ箱の係止が、２本の脚部材に付設される第１係合部Ｆと、該ゴミ箱の側部に形成される第２係合部とで行ない、不使用状態における該販売台本体部と該ゴミ箱の係止が、２本の脚部材の該第１係合部Ｆとは反対側に付設される第１係合部Ｂと、該第２係合部とで行なうことを特徴とするゴミ箱付き食品販売台。
【請求項２】
該ゴミ箱は、該天板より下方に設置されることを特徴とする請求項１記載のゴミ箱付き食品販売台。
【請求項３】
前記ゴミ箱は、該開口の左右方向の最大長さ（Ｌ）と該開口の前後方向の最大長さ（Ｗ）の比（Ｌ）：（Ｗ）が、１：０．２〜０．５である上方が開口する扁平状の容器であることを特徴とする請求項１又は２記載のゴミ箱付き食品販売台。
【請求項４】
前記ゴミ箱は、両側に外側に突出する鍔部を有することを特徴とする請求項１〜３のいずれか１項に記載のゴミ箱付き食品販売台。
【請求項５】
該第２係合部は、該鍔部の裏面に形成されるものであることを特徴とする請求項４記載のゴミ箱付き食品販売台。
【請求項６】
該第１係合部Ｆがフック部材であり、第２係合部が凹部であることを特徴とする請求項１〜５のいずれか１項に記載のゴミ箱付き食品販売台。
【請求項７】
該第１係合部Ｂがフック部材であり、第２係合部が凹部であることを特徴とする請求項１〜５のいずれか１項に記載のゴミ箱付き食品販売台。
【請求項８】
該フック部材は、所定長さの部材を中央やや端寄りの２つの位置で一方の側に屈曲させた側面視が略Ｕ字形状であって、略Ｕ字形状の一方の起立部を第１係合部Ｆとしたものであることを特徴とする請求項６記載のゴミ箱付き食品販売台。
【請求項９】
該フック部材は、所定長さの部材を中央やや端寄りの２つの位置で一方の側に屈曲させた側面視が略Ｕ字形状であって、略Ｕ字形状の他方の起立部を第１係合部Ｂとしたものであることを特徴とする請求項７記載のゴミ箱付き食品販売台。
【請求項１０】
ネスティング構造であることを特徴とする請求項１〜９のいずれか１項に記載のゴミ箱付き食品販売台。
【請求項１１】
ネスティング構造が、間隔が狭い側の２本の脚部材と間隔が広い側の２本の脚部材からなる平面視形状が台形であることを特徴とする請求項１〜１０のいずれか１項に記載のゴミ箱付き食品販売台。
【請求項１２】
第１係合部Ｆは、間隔が狭い側の２本の脚部材であって、間隔が広い他の２本の脚部材の反対側に形成されることを特徴とする請求項１１記載のゴミ箱付き食品販売台。
【請求項１３】
第１係合部Ｂは、間隔が狭い側の２本の脚部材であって、間隔が広い他の２本の脚部材側に形成されることを特徴とする請求項１１記載のゴミ箱付き食品販売台。
【考案の詳細な説明】
【技術分野】
【０００１】
本考案は、スーパー等の食品販売コーナーにおいて、食品見本の調理実演や食品の試食に使用されるゴミ箱付き食品販売台に関するものである。
【背景技術】
【０００２】
スーパー等の食品販売コーナーにおいて、食品見本の調理実演や食品の試食に食品販売台が使用されている。食品販売台は、実演で使用される調理廃材や試食に使用される爪楊枝を捨てるゴミ箱が設置されている。
【０００３】
従来の食品販売用ゴミ箱は、食品販売台の天板に単に置かれたり、食品販売台の本体部に係り止めされて使用される。食品販売台の天板に単に置かれるゴミ箱は、容量が小さく頻繁にゴミを捨てる必要がある。また、食品販売台の本体部に係り止めされるゴミ箱は容量の大きなものが使用できるものの、食品販売台不使用時、取り外して、別途保管する必要があり、保管場所の確保の問題や紛失の問題があった。また、ゴミ箱を食品販売台の本体部に取り付けたまま保管することもできるが、ゴミ箱の開口が正面を向いたままであり、不使用時（保管状態）にも不用意にゴミが投入されることもあり衛生面で問題があった。また、ゴミ箱の開口が正面を向いたままであると、食品販売台が使用中なのか、不使用中なのか判断に迷うという問題があった。
【０００４】
また、近年、スーパー等の規模が大きくなり、ひとつのスーパーにおいて、食品販売台の使用台数が多くなり、保管場所が大きくなるという問題があった。
【考案の開示】
【考案が解決しようとする課題】
【０００５】
従って、本考案の目的は、不使用時、ゴミ箱の開口が正面を向かず本体部に収納できると共に、使用時、不使用時が明確に判断できるゴミ箱付き食品販売台を提供することにある。また、本考案の他の目的は、保管時の省スペース化を可能にするゴミ箱付き食品販売台を提供することにある。
【課題を解決するための手段】
【０００６】
すなわち、本考案は、４本の脚部材と天板とからなる販売台本体部と、該販売台本体部の２本の脚部材に着脱自在且つ前後方向反転自在に設置可能なゴミ箱とを備え、使用状態における該販売台本体部と該ゴミ箱の係止が、２本の脚部材に付設される第１係合部Ｆと、該ゴミ箱の側部に形成される第２係合部とで行ない、不使用状態における該販売台本体部と該ゴミ箱の係止が、２本の脚部材の該第１係合部Ｆとは反対側に付設される第１係合部Ｂと、該第２係合部とで行なうことを特徴とするゴミ箱付き食品販売台を提供するものである。
【考案の効果】
【０００７】
本考案によれば、前方側の２本の脚部材に特定の係合により、着脱自在且つ前後方向反転自在に設置したため、不使用時、ゴミ箱の開口が正面を向かず、裏側を向くように設置できる。このため、保管状態において、不用意なゴミの投入が行われず衛生的である。また、ゴミ箱の開口が裏側を向いている場合、不使用時であることが判る。また、本考案によれば、複数台のゴミ箱付き食品販売台をそのまま入れ子方式（ネスティング）で保管できるため、省スペース化が可能となる。
【図面の簡単な説明】
【０００８】
【図１】本考案の実施の形態におけるゴミ箱付き食品販売台の斜視図である。
【図２】取り外したゴミ箱の斜視図である。
【図３】図２のゴミ箱の裏面から見た斜視図である。
【図４】図１のゴミ箱付き食品販売台の左側面図である。
【図５】不使用時のゴミ箱付き食品販売台の斜視図である。
【図６】不使用時のゴミ箱付き食品販売台の左側面図である。
【図７】（Ａ）は第１係合部Ｆと第２係合部との係合を説明する部分断面図であり、（Ｂ）は第１係合部Ｂと第２係合部との係合を説明する部分断面図である。
【図８】複数台のゴミ箱付き食品販売台の収納保管状態を示す側面図である。
【図９】ネスティング構造を説明する簡略図である。
【考案を実施するための形態】
【０００９】
本考案の実施の形態におけるゴミ箱付き食品販売台を図１〜図９を参照して説明する。なお、明細書中、「前」はゴミ箱側を言う。ゴミ箱付き食品販売台（以下、単に「食品販売台」とも言う。）１０は、販売台本体部１と、販売台本体部１の前方側の２本の脚部材１１ａ、１１ａに着脱自在且つ前後方向反転自在に設置可能なゴミ箱２とを備えるものである。
【００１０】
販売台本体部１は、４本の脚部材１１ａ、１１ｂと天板１３とからなるものであれば、特に制限されず、本例では、４本の脚部材１１ａ、１１ｂは、一方の側の２本の前後の脚部材１１ａ、１１ｂを上方で連結する上方連結部材１１ｄと、一方の側の２本の前後の脚部材１１ａ、１１ｂを下方で連結する下方連結部材１１ｃを有し、更に前方の２つの脚部材１１ａ、１１ａ同士を上方で連結する上方横連結部材１１ｅと、２本の下方連結部材１１ｃ同士を下方で連結し、且つ互いが前後方向に少し離れた位置にある２つの下方横連結部材１４ａ、１４ｂを有する。４本の脚部材１１ａ、１１ｂ、２本の上方連結部材１１ｄ、２本の下方連結部材１１ｃ及び上方横連結部材１１ｅは、丸パイプ部材であり、２つの下方横連結部材１４ａ、１４ｂは、丸パイプ部材の径より細い径の丸棒部材である。また、２本の後方側の脚部材１１ｂ間の左右方向における距離は、２本の前方側の脚部材１１ａ間の左右方向の距離より大となっている。すなわち、２本の下方連結部材１１ｃと１本の下方横連結部材１４ａで形成される形状は、前方側に漸次狭くなる台形形状である。また、２本の後方側の脚部材１１ｂ間には、２本の脚部材１１ｂを連結する連結部材は存在しないため、販売台本体部１の後方側が開放され、他の食品販売台が入り込むようになっている。
【００１１】
このような販売台本体部１の脚部材構造は、複数台の食品販売台の入れ子式（ネスティング）収納を可能にすると共に、強度の高い構造となっている。また、前方の下方横連結部材１４ａに任意の構成要素である板状の棚部材１２を下方横連結部材１４ａを中心として回動自在に設置でき、下方横連結部材１４ｂを棚部材１２の支持部材として利用できる。棚部材１２は粗い網目の棚であり、食材や布巾等の備品を載置することができる。なお、下方横連結部材１４ｂは、ネスティングの際、後方側の食品販売台１０の前方への移動を規制する機能も奏する。
【００１２】
４本の脚部材１１ａ、１１ｂの下端には自在キャスター３が付設されている。これにより、食品販売台１０はあらゆる方向に移動自在である。また、自在キャスター３にはストッパーがついていることが好ましい。これにより、所定の位置でストッパーを作動させれば、ゴミ箱付き食品販売台１０の動きを停止できる。
【００１３】
天板１３は所定の厚みと所定の面積を有する略矩形断面形状物である。また、天板１３の平面視での面積は、４本の脚部材１１ａ、１１ｂで形成される平面視での面積より大である。天板１３は、４本の脚部材１１ａ、１１ｂの中の後方側の２本の脚部材１１ｂ間で上下方向に回動自在に支持され、前方は、上方横連結部材１１ｅに載置されている。すなわち、天板１３は、後方の軸芯１３３を中心に符号Ｘ方向に回動する（図４参照）。また、天板１３の前端は厚み方向の上部１３２が前方へ突出する全体が後方下り傾斜面であり、天板１３の後端は厚み方向の下部１３１が後方へ突出する全体が後方下り傾斜面である。天板１３は上記構造を採ることで、入れ子式収納の際、後方側の食品販売台１０が、前方側の食品販売台１０の空間部に入る際、後側の天板１３の前端の上部１３２が、前側の天板の後端の傾斜面に当たり、天板１３は傾斜に沿って上方側（符号Ｘ方向）に回動することができ、ネスティングが可能となる。
【００１４】
後方側の２本の脚部材１１ｂ間で天板１３を回動自在に支持する方法としては、例えば、２本の脚部材１１ｂに形成された横方向に延びる丸棒部材が、天板１３に固定された横方向に延びるパイプ部材内に遊嵌状態で差し込まれる結合方法、２本の脚部材１１ｂ及び天板１３それぞれに蝶番取付面を形成し、蝶番を介在させて両者を係合する方法等が挙げられる。
【００１５】
２本の脚部材には、前方斜め上方に延びるフック状の突起４ａ（第１係合部Ｆ）が形成され、２本の脚部材の同じ高さ位置には、後方斜め上方に延びるフック状の突起４ｂ（第１係合部Ｂ）が形成されている。符号ＦはＦｒｏｎｔの頭文字であり、符号ＢはＢａｃｋの頭文字である。本例では、一対のフック状の突起４ａ、４ｂは所定長さの棒部材を中央やや端寄りの２つの位置で一方の側に屈曲させた側面視が略Ｕ字形状のものを２つ作製し、それぞれを脚部材１１ａに同じ高さとなるように、固定したものである。フック状の突起４ａ、４ｂは棒部材以外の例えば平状部材から形成してもよい。ゴミ箱２の凹部２６（第２係合部）を前方側の突起４ａに係合させれば、ゴミ箱２は開口が前方側に向くため、使用状態となり、ゴミ箱２の凹部２６（第２係合部）を後方側の突起４ｂに係合させれば、ゴミ箱２は開口が後ろを向くため、不使用状態となる。なお、第１係合部Ｆと第１係合部Ｂは、別部材であってもよく、互いに異なる形状であってもよく、また、対称となる以外は実質同じ形状であってもよいが、対称となる以外は実質同じ形状とすることが製作容易性及び設置安定性等の点で好ましい。また、本考案において、第１係合部Ｆと第１係合部Ｂは、上記フック状の突起に限定されず、スリット状の孔等の凹部であってもよい。この場合、ゴミ箱２の第２係合部が、凸状となる。スリット状の孔等の凹部においても、第１係合部Ｆと第１係合部Ｂは、互いに異なる形状であってもよく、また、対称となる以外は実質同じ形状であってもよいが、対称となる以外は実質同じ形状とすることが製作容易性及び設置安定性等の点で好ましい。
【００１６】
ゴミ箱２は横幅が長く、奥行き幅が小さい扁平状である。また、ゴミ箱２は、２本の前方側の脚部材１１ａ、１１ａに吊り下げ状態で設置されるものであり、天板１３より下方に設置され、下端は設置面より上方に位置する。また、ゴミ箱２の開口はその一部が天板１３の前端より少しはみ出していてもよい。
【００１７】
ゴミ箱２は、開口２３の左右方向の最大長さ（Ｌ）と開口２３の前後方向の最大長さ（Ｗ）の比（（Ｌ）：（Ｗ））が、１：０．２〜０．５、好ましくは１：０．３〜０．４である上方に開口２３を有する扁平状の容器である。これにより、ゴミ箱２の容量を大きくできると共に、ネスティングを可能としている。（Ｌ）に対する（Ｗ）が、０．２未満であると、ゴミを投入し難くなり、０．５を超えると、ネスティングの際、後側の販売台の入れ込みが浅くなり、販売台の保管スペースが大きくなってしまう。
【００１８】
ゴミ箱２は、扁平状であれば、その形状としては、特に制限されないが、本例では、平面視が前方側にやや突のアーチ状の前板２１と、平板状の後板２２と、両側板２５と、底板２８とからなる。
【００１９】
また、ゴミ箱２を販売台本体部１に設置した使用状態において、脚部材１１ａから前方側に突出した部分の幅寸法をｍ、脚部材１１ａから後方側に突出した部分の幅寸法をｎとした場合、脚部材１１ａの後方端と下方横連結部材１４ｂの後方端間の距離ｐは、（ｍ＋ｎ）と同じか、あるいは少し大である（図４及び図８参照）。これにより、ゴミ箱２を設置した状態において食品販売台１０のネスティングが可能となる。
【００２０】
ゴミ箱２は、側部に第２係合部２６を有する。本例では、第２係合部２６は、ゴミ箱２の両側で外側に突出する鍔部２４の裏面２４１に形成される。また、鍔部２５は両側板２５の前後方向の中央近傍、好適には中央に形成するのがよい。これにより、脚部材１１ａにゴミ箱２を取付け易くなると共に、ゴミ箱２の開口２３を、左右に大きく、且つ前後方向においては２本の脚部材１１ａ間の線引きラインより奥側にも存在させることができ、容量を大きく維持しつつ、扁平状とすることが可能となる。鍔部２４は、前方側が前板２１と連続しており、意匠性を高めている。また、不使用時のゴミ箱２の設置状態において、ゴミ箱２は天板２の下方で且つゴミ箱２の前端が天板２の前端を前方側へはみ出さないことが好ましい。これにより、不使用時、ゴミ箱２の開口２３は前方からほとんど見えないから、ゴミ箱２への不用意なゴミの投入はできなくなる。
【００２１】
第２係合部２６は、定形溝、不定形溝、定形孔又は不定形孔等の凹部であり、本例では図７に示すように、長溝２７を形成する内壁の天壁に形成された係合用丸孔である。これにより、フック部材４ａ（第１係合部Ｆ）及びフック部材４ｂ（第１係合部Ｂ）への係合が容易となり、係合安定性が向上する。
【００２２】
食品販売台１０にゴミ箱２を使用状態で設置する際、先ず、開口が前面位置にあるゴミ箱２を長溝２７とフック部材４ａが当たるようにし、次いでゴミ箱２を下方に下げることで、フック部材４ａが長溝２７に沿って上昇し、ゴミ箱２の丸孔とフック部材４ａが係合する。食品販売台１０にゴミ箱２を不使用状態で設置する際、使用状態から取り外されたゴミ箱２を、開口が後方側となるようにし、ゴミ箱２を長溝２７とフック部材４ｂが当たるようにし、次いでゴミ箱２を下方に下げることで、フック部材４ｂが長溝２７に沿って上昇し、ゴミ箱２の丸孔とフック部材４ｂが係合する。
【００２３】
次に、複数台の食品販売台１０のネスティング方法を説明する。食品販売台１０は、４本の脚部材１１ａ、１１ｂで形成される平面視形状が台形となるネスティング構造を有するため、複数台の食品販売台１０を入れ子式に収納でき、保管スペースを低減できる。図８及び図９は、ゴミ箱２の開口２３を前方側に向けた使用状態における食品販売台１０のネスティング収納状態を示す。すなわち、後方側の食品販売台１０が、前方側の食品販売台１０の内部空間に入る際、後側の天板の前端の上部１３２が、前側の天板の後端の傾斜面に当たり、傾斜に沿って上方側に回動する。更に、後方側の食品販売台１０が、前方へ移動すると、後方側の２本の脚部材１１ａが、前方側の食品販売台１０の下方横連結部材１４ｂに当接して停止する。その際、ゴミ箱２は、後方側の食品販売台１０の脚部材１１ａから前方側に突出して部分の幅寸法ｍと、前方側の食品販売台１０の脚部材１１ａから後方側に突出して部分の幅寸法ｎの合計が、前方側の食品販売台１０の脚部材１１ａと後方側の食品販売台１０の脚部材１１ａ間の寸法と同じか、またそれより小であるため、ゴミ箱２がネスティングの支障になることはない。
【００２４】
また、ネスティングは、ゴミ箱２の開口２３を後方側に向けた不使用状態における食品販売台１０の複数台をネスティング収納することもできる。前方側の食品販売台１０の脚部材１１ａと後方側の食品販売台１０の脚部材１１ａ間において、前方側のゴミ箱２が占める面積（側面視）が大となっても、後方側のゴミ箱２が占める面積（側面視）が小となるからである。
【００２５】
なお、ゴミ箱付き食品販売台１０を使用する際、前記実施の形態例と異なり、前側が販売者側となってもよい。この場合、ゴミ箱２は主に販売者が使用することになる。また、第１係合部Ｆ及び第１係合部Ｂの形成位置を、ネスティング構造面から説明すると、第１係合部Ｆは、間隔が狭い側の２本の脚部材１１ａであって、間隔が広い他の２本の脚部材１１ｂの反対側に形成されるものであり、第１係合部Ｂは、間隔が狭い側の２本の脚部材１１ａであって、間隔が広い他の２本の脚部材１１ｂの側に形成されるものである。
【産業上の利用可能性】
【００２６】
本考案の食品販売台は、使用者にとって、ゴミ箱の別途の保管場所が不必要となること、使用時と不使用時の判断が容易となり且つ不使用時には開口が裏側にあるため、不用意なゴミの投入がなくなり衛生的であることなど多くの利点を有する。また、複数台のゴミ箱付き食品販売台をそのまま入れ子方式（ネスティング）で保管できるため、省スペース化が可能となる。また、食品購入者にとっては前方側の全面がゴミ箱の開口であるため、使用済み爪楊枝などのゴミを投入し易い。
【符号の説明】
【００２７】
１    販売台本体部
２    ゴミ箱
３    キャスター  
４ａ  前方フック部材（第１係合部Ｆ）
４ｂ  後方フック部材（第１係合部Ｂ）
１０    ゴミ箱付き食品販売台
１１ａ、１１ｂ  脚部材
１１ｃ  下方連結部材
１１ｄ  上方連結部材
１１ｅ  上方横連結部材
１２    板状の棚部材
１３    天板
１４ａ、１４ｂ  下方横連結部材
２６    丸孔（第２係合部）
２７    長溝
【図１】
0003167070.tif 000003
【図２】
0003167070.tif 000004
【図３】
0003167070.tif 000005
【図４】
0003167070.tif 000006
【図５】
0003167070.tif 000007
【図６】
0003167070.tif 000008
【図７】
0003167070.tif 000009
【図８】
0003167070.tif 000010
【図９】
0003167070.tif 000011
【手続補正書】
【提出日】平成23年2月2日(2011.2.2)
【手続補正１】
【補正対象書類名】実用新案登録請求の範囲
【補正対象項目名】全文
【補正方法】変更
【補正の内容】
【実用新案登録請求の範囲】
【請求項１】
４本の脚部材と天板とからなる販売台本体部と、
該販売台本体部の２本の脚部材に着脱自在且つ前後方向反転自在に設置可能なゴミ箱とを備え、
使用状態における該販売台本体部と該ゴミ箱の係止が、２本の脚部材に付設される第Ｉ係合部と、該ゴミ箱の側部に形成される第２係合部とで行ない、不使用状態における該販売台本体部と該ゴミ箱の係止が、２本の脚部材の該第Ｉ係合部とは反対側に付設される第ＩＩ係合部と、該第２係合部とで行なうことを特徴とするゴミ箱付き食品販売台。
【請求項２】
該ゴミ箱は、該天板より下方に設置されることを特徴とする請求項１記載のゴミ箱付き食品販売台。
【請求項３】
前記ゴミ箱は、該開口の左右方向の最大長さ（Ｌ）と該開口の前後方向の最大長さ（Ｗ）の比（Ｌ）：（Ｗ）が、１：０．２〜０．５である上方が開口する扁平状の容器であることを特徴とする請求項１又は２記載のゴミ箱付き食品販売台。
【請求項４】
前記ゴミ箱は、両側に外側に突出する鍔部を有することを特徴とする請求項１〜３のいずれか１項に記載のゴミ箱付き食品販売台。
【請求項５】
該第２係合部は、該鍔部の裏面に形成されるものであることを特徴とする請求項４記載のゴミ箱付き食品販売台。
【請求項６】
該第Ｉ係合部がフック部材であり、第２係合部が凹部であることを特徴とする請求項１〜５のいずれか１項に記載のゴミ箱付き食品販売台。
【請求項７】
該第ＩＩ係合部がフック部材であり、第２係合部が凹部であることを特徴とする請求項１〜５のいずれか１項に記載のゴミ箱付き食品販売台。
【請求項８】
該フック部材は、所定長さの部材を中央やや端寄りの２つの位置で一方の側に屈曲させた側面視が略Ｕ字形状であって、略Ｕ字形状の一方の起立部を第Ｉ係合部としたものであることを特徴とする請求項６記載のゴミ箱付き食品販売台。
【請求項９】
該フック部材は、所定長さの部材を中央やや端寄りの２つの位置で一方の側に屈曲させた側面視が略Ｕ字形状であって、略Ｕ字形状の他方の起立部を第ＩＩ係合部としたものであることを特徴とする請求項７記載のゴミ箱付き食品販売台。
【請求項１０】
ネスティング構造であることを特徴とする請求項１〜９のいずれか１項に記載のゴミ箱付き食品販売台。
【請求項１１】
ネスティング構造が、間隔が狭い側の２本の脚部材と間隔が広い側の２本の脚部材からなる平面視形状が台形であることを特徴とする請求項１〜１０のいずれか１項に記載のゴミ箱付き食品販売台。
【請求項１２】
第Ｉ係合部は、間隔が狭い側の２本の脚部材であって、間隔が広い他の２本の脚部材の反対側に形成されることを特徴とする請求項１１記載のゴミ箱付き食品販売台。
【請求項１３】
第ＩＩ係合部は、間隔が狭い側の２本の脚部材であって、間隔が広い他の２本の脚部材側に形成されることを特徴とする請求項１１記載のゴミ箱付き食品販売台。
【手続補正２】
【補正対象書類名】明細書
【補正対象項目名】０００６
【補正方法】変更
【補正の内容】
【０００６】
すなわち、本考案は、４本の脚部材と天板とからなる販売台本体部と、該販売台本体部の２本の脚部材に着脱自在且つ前後方向反転自在に設置可能なゴミ箱とを備え、使用状態における該販売台本体部と該ゴミ箱の係止が、２本の脚部材に付設される第Ｉ係合部と、該ゴミ箱の側部に形成される第２係合部とで行ない、不使用状態における該販売台本体部と該ゴミ箱の係止が、２本の脚部材の該第Ｉ係合部とは反対側に付設される第ＩＩ係合部と、該第２係合部とで行なうことを特徴とするゴミ箱付き食品販売台を提供するものである。なお、本明細書では、第Ｉ係合部を「第１係合部Ｆ」とも言い、第ＩＩ係合部を「第１係合部Ｂ」とも言う。